(57)【特許請求の範囲】
【請求項１】
零相変流器により検出された地絡電流により制御されて可動鉄心が作動するようになされた電磁石装置と、上記可動鉄心の作動によりトリップ動作して開離する可動接触子と、常時は上記可動鉄心の先端に形成した第一の係合部に係合され、上記トリップ動作の際に上記係合が外れて表示釦部がケースの外に突出するようになされた漏電表示装置と、上記トリップ動作後に上記可動接触子を投入するとき、その投入に連動して上記突出した表示釦部をもとの位置に引き戻す連動リセット機構を有する漏電遮断器において、常時は上記可動鉄心の先端に形成した第二の係合部に係合され、上記トリップ動作の際に上記第二の係合部の係合が外れて、上記可動接触子が開離する前に上記可動鉄心の先端部に係合して上記可動鉄心の復帰を一時的に阻止するが、上記表示釦部が突出したときもとの位置に戻されるように構成された復帰防止板を設けたことを特徴とする漏電遮断器。
【請求項２】
漏電表示装置の表示釦部に、トリップ動作により突出するとき復帰防止板と係合して上記復帰防止板をもとの位置に押し戻すように働く復帰防止板係合部を設けたことを特徴とする請求項１記載の漏電遮断器。
【発明の詳細な説明】
【０００１】
【発明の属する技術分野】
この発明は、地絡発生時にケ−スの外に釦部が突出して漏電が発生したことを表示する漏電表示装置を備えた漏電遮断器に関するものである。
【０００２】
【従来の技術】
図４は、例えば特開平８−１８０７９２号公報に示されたものと類似の従来の漏電遮断器を示す電気回路図である。図５は、従来の漏電表示装置の要部を示す構成図であり、（Ａ）は正面図、（Ｂ）は側面図を示す。図において、１は電源を接続する電源端子、２は負荷を接続する負荷端子、３は電源端子１と負荷端子２を接続する電路、４は電路３に流れる地絡電流を検出する零相変流器、５は零相変流器４の二次出力を増幅してそのレベルを判別する増幅器、６は増幅器５の判別信号によりスイッチングするサイリスタである。
【０００３】
７はサイリスタ６により制御される電磁石装置であり、図５に示すように、コイル７ａと、コアー７ｂと、可動鉄心８と、この可動鉄心８を矢印Ａ方向へ付勢する鉄心ばね９等により構成されている。１０は電路３に漏電が発生したことを表示する表示釦部であり、合成樹脂材で形成され、図５に示すように、釦部１０ａと、アクチュエータ部１０ｂとを有する。このアクチュエータ部１０ｂには、後述するフック係合部１１ａと係合する第一の釦係合部１０ｃと、後述する押板係合部１２ａと係合する第二の釦係合部１０ｄが設けられている。１１は可動鉄心８の先端に一体的に設けられた合成樹脂材製のフックであり、前記の表示釦部１０と係合するフック係合部１１ａが形成されている。
【０００４】
１２は合成樹脂材で形成された押板であり、開閉機構部（図示せず）の一部分を構成するもので、開閉機構部に連動して矢印Ｃまたは矢印Ｄ方向へ上下動する。１４は可動接触子、１５は可動接触子１４と対向して設けられた固定接触子であり、可動接触子１４は押板１２の保持部１２ｂに保持され、押板１２の上下動に従動して固定接触子１５と閉合・開離するように構成されている。１６は接圧ばねであり、所定の接触圧力で可動接触子１４を固定接触子１５に接触させる。１３は表示釦部１０を矢印Ｅ方向へ突出させるように付勢する釦ばね、１７は合成樹脂で形成されたケースであり、電磁石装置７、表示釦部１０及び釦ばね１３などを収納して漏電表示装置１００が構成されている。
【０００５】
上記のように構成された漏電遮断器において、例えば地絡発生時において、零相変流器４が地絡電流を検出し、その検出信号は増幅器５により増幅されてサイリスタ６をオンし、電磁石装置７のコイル７ａが励磁される。この励磁により可動鉄心９が矢印Ｂ方向へ吸引されると、フック１１の突出部（図示せず）が漏電遮断器の引外し機構（図示せず）と係合しているトリップバー（図示せず）を変位させるので上記引外し機構が動作する。この引外し機構の動作により、開閉機構部の一部分を構成する押板１２を矢印Ｃ方向へ引上げ、可動子１４を固定子１５から開離（トリップ）させる。
【０００６】
上記トリップの際に電磁石装置７が漏電表示装置を作動させる。即ち、先ず、可動鉄心９の吸引により、フック係合部１１ａが第一の釦係合部１０ｃから外れる。続いて、引外し機構（図示せず）及び開閉機構部が動作して押板１２を矢印Ｃ方向へ引上げる。この押板１２の動作により押板係合部１２ａが第二の釦係合部１０ｄから外れる。従って、表示釦部１０は、釦ばね１３の付勢力により矢印Ｅ方向へ移動し、ケース１７から釦部１０ａが突出（二点鎖線で示す）して漏電でトリップしたことが表示される。
【０００７】
次に、漏電状態が回復されて漏電遮断器を再投入（リセット）した場合について説明する。即ち、漏電遮断器の起倒ハンドルを操作して再投入すると、開閉機構部（図示せず）により押板１２が矢印Ｄ方向へ押込まれ、可動接触子１４と固定接触子１５が閉合する。このとき、押板係合部１２ａと表示釦部１０の第二の釦係合部１０ｄが係合するので、突出表示していた表示釦部１０が矢印Ｆ方向へ移動してもとの位置に引き戻される。表示釦部１０がもとの位置に引き戻されると、可動鉄心８も鉄心ばね９により吸引前のもとの位置に戻されて、（矢印Ａ方向に戻されて、）フック係合部１１ａと表示釦部１０の第一の釦係合部１０ｃとが係合して正常な状態にリセットされる。
【０００８】
【発明が解決しようとする課題】
上記のような従来の漏電遮断器では、漏電遮断器の可動接触子を再投入（リセット）する際、突出した表示釦部１０を、自動的にもとの位置に引き戻す連動リセット機構を備えた構成になっている。このため表示釦部１０は、連動リセット機構を構成する押板１２に係合して保持されると共に、漏電でトリップしたときのみ突出するように、可動鉄心９と一体のフック係合部１１ａに係合して保持されるように構成されている。
【０００９】
この種の漏電遮断器において電路に地絡が発生した場合、地絡発生時の地絡電流の位相によっては、例えば地絡発生時において、半波整流された電流の立ち下がり部分の終端付近の電流がコイル７ａに流れている場合、電磁石装置７のコイル７ａが励磁されている時間が短くなる。時間が短くなっても可動鉄心８が吸引されてトリップ動作するが、押板１２は開閉機構部を介して動作するので、可動鉄心８の動作よりも僅かであるが動作が遅れる。即ち、表示釦部１０は可動鉄心８の動作よりも僅かであるが動作が遅れることになる。その僅かの遅れの間に可動鉄心８を矢印Ｂ方向に吸引する力が無くなり、可動鉄心８が鉄心ばね９の付勢力により矢印Ａ方向に復帰する。従って、フック係合部１１ａと表示釦部１０の第一の釦係合部１０ｃが係合状態になり、地絡が発生し、可動接触子１４がトリップにより開離しているにもかかわらず表示釦部１０が突出しない状態が生じることがあるという問題点があった。
【００１０】
なお、この種の漏電遮断器における電磁石装置７は、図示していないが電路３を電源にしている。このため、上記のような不完全な動作があったとしても、可動接触子１４がトリップにより開離すると電磁石装置７の電源が無くなる。従って、電路の地絡が継続していても電磁石装置７は動作しない。つまり、トリップしていながら表示釦部１０が突出していない状態が継続することになる。
【００１１】
この発明は上述のような問題点を解決するためになされたもので、電路の地絡発生時において、地絡電流の位相に関係することなく確実に表示釦部を突出させることができる漏電遮断器を得ることを目的としている。
【００１２】
【課題を解決するための手段】
この発明は、零相変流器により検出された地絡電流により制御されて可動鉄心が作動するようになされた電磁石装置と、可動鉄心の作動によりトリップ動作して開離する可動接触子と、常時は可動鉄心の先端に形成した第一の係合部に係合され、トリップ動作の際に上記係合が外れて表示釦部がケースの外に突出するようになされた漏電表示装置と、トリップ動作後に可動接触子を投入するとき、その投入に連動して上記突出した表示釦部をもとの位置に引き戻す連動リセット機構を有する漏電遮断器において、常時は可動鉄心の先端に形成した第二の係合部に係合され、トリップ動作の際に上記第二の係合部の係合が外れて、上記可動接触子が開離する前に可動鉄心の先端部に係合して可動鉄心の復帰を一時的に阻止するが、表示釦部が突出したときもとの位置に戻されるように構成された復帰防止板を設けることにより、確実に表示釦部が突出するようにしたものである。
【００１３】
また、漏電表示装置の表示釦部に、トリップ動作により突出するとき復帰防止板と係合して上記復帰防止板をもとの位置に押し戻すように働く復帰防止板係合部を設けることにより、簡単で確実に動作するようにしたものである。
【００１４】
【発明の実施の形態】
実施の形態１．
図１は、この発明の実施の形態１を示す漏電遮断器の要部の構成図であり、漏電が発生していない状態を示し、（Ａ）は正面図、（Ｂ）は側面図を示す。図２は、漏電が発生し漏電表示装置が漏電表示する前の復帰防止板が動作した状態を示す構成図であり、（Ａ）は正面図、（Ｂ）は側面図を示す。図３は、漏電が発生し漏電表示装置が漏電表示した状態を示す構成図であり、（Ａ）は正面図、（Ｂ）は側面図を示す。なお、漏電遮断器の電気回路図は図４に示す従来の漏電遮断器と同一であり、従って、電源端子１、負荷端子２、電源端子１と負荷端子２を接続する電路３、零相変流器４、増幅器５、サイリスタ６は、従来の漏電遮断器と同様の回路構成で使用される。
【００１５】
また、図１〜図３において、７はサイリスタ６により制御される電磁石装置、７ａはコイル、７ｂはコアー、８は可動鉄心、９は鉄心ばね、１２は押板、１３は釦ばね、１４は可動接触子、１５は固定接触子、１６は接圧ばね、１７はケースであり、これらも従来の漏電遮断器と同様のものである。なおケース１７に電磁石装置７、表示釦部２０及び釦ばね１３などを収納して漏電表示装置２００が構成されている。
【００１６】
次に図１において、２０は電路に漏電が発生したことを表示する表示釦部であり、釦部２０ａと、アクチュエータ部２０ｂとを有し、このアクチュエータ部２０ｂには後述する第一のフック係合部２１ａと係合する第一の釦係合部２０ｃと、押板係合部１２ａと係合する第二の釦係合部２０ｄと、後述する復帰防止板２６と係合する第三の釦係合部２０ｅが設けられている。２１は可動鉄心８の先端に一体的に設けられた合成樹脂材製のフックであり、表示釦部２０の第一の釦係合部２０ｃと係合する第一のフック係合部２１ａと、後述する復帰防止板２６と係合する第二のフック係合部２１ｂを有している。
【００１７】
２６は可動鉄心８及びフック２１が鉄心バネ９の付勢力により矢印Ａ方向へ復帰するのを一時的に防止する復帰防止板であり、合成樹脂材で形成され、一端面２６ａはフック２１の第二のフック係合部２１ｂと係合し、表示釦部２０が矢印Ｅ方向へ突出時において（図３に示す）他端面２６ｂが表示釦部２０の第三の釦係合部２０ｅと係合する。２７は復帰防止板２６を矢印Ｇ方向に押圧するための押ばねである。
【００１８】
上記のように構成された漏電表示装置では、図１に示す漏電遮断器がＯＮ状態で電路に地絡が発生した場合、電磁石装置７のコイル７ａに電流が流れて励磁され、可動鉄心８が矢印Ｂ方向へ吸引される。この吸引により、図２に示すように、フック２１の第二のフック係合部２１ｂと復帰防止板２６の一端面２６ａとの係合が外れ、復帰防止板２６が押ばね２７の押圧力により矢印Ｇ方向に移動し、復帰防止板２６の右端面２６ｃがフック２１の左端面２１ｃに当接する。従って、電磁石装置７のコイル７ａが励磁されている時間が短くて、可動鉄心８を矢印Ｂ方向へ吸引する力が短時間のうちに無くなっても、可動鉄心８即ちフック２１が鉄心ばね９の付勢力により矢印Ａ方向に復帰する作用が阻止される。
【００１９】
これと同時に、フック２１の突出部（図示せず）が漏電遮断器の引外し機構（図示せず）と係合しているトリップバー（図示せず）を変位させ、上記引外し機構が動作して押板１２を矢印Ｃ方向へ引き上げ、可動接触子１４を固定接触子１５から開離させて、図３に示すように、漏電遮断器を遮断する。
【００２０】
また、押板１２が矢印Ｃ方向へ動作することにより、押板１２の係合部１２ａと表示釦部２０の第二の釦係合部２０ｄとの係合が開放される。このとき、上記可動鉄心８の吸引動作により第一のフック係合部２１ａと表示釦部２０の第一の釦係合部２０ｃとの係合が外れているため、釦ばね１３により表示釦部２０の釦部１０ａを矢印Ｅ方向へ突出させて、図３に示すように、漏電表示することができる。
【００２１】
さらに、これと同時に、押ばね２７の荷重よりも表示釦ばね１３の荷重が大きく設定されているために、表示釦部２０の第三の釦係合部２０ｅが復帰防止板２６の他端面２６ｂを矢印Ｈ方向に押し上げる。即ち、復帰防止板２６をもとの位置に押し戻すように表示釦部２０が働く。この働きにより、フック２１の左端面２１ｃと復帰防止板２６の右端面２６ｃとの係合が外れ、第二のフック係合部２１ｂが復帰防止板２６の一端面２６ａの下側になるように位置することになる。よって、鉄心ばね９の付勢力により、一時的に動きを阻止されていた可動鉄心８即ちフック２１が矢印Ａ方向に復帰し、図３に示すように、第三のフック係合部２１ｄが表示釦部２０のアクチュエータ部２０ｂの右端面２０ｆに係合して可動鉄心８が停止した状態になる。
【００２２】
復帰防止板２６及びフック２１が上記のように動作するので、表示釦ばね１３の付勢力により表示釦部２０の釦部１０ａが矢印Ｅ方向へ突出し、確実に漏電表示することができる。また、表示釦部２０の第三の釦係合部２０ｅが復帰防止板２６の他端面２６ｂに当接し、復帰防止板２６を矢印Ｈ方向に押し上げることにより、フック２１の矢印Ａ方向への復帰を阻止していた復帰防止板２６の機能を開放することになる。
【００２３】
次に、漏電状態が回復されて漏電遮断器を再投入（リセット）する場合について説明する。即ち、上記漏電表示後にハンドル（図示せず）を操作して漏電遮断器をリセットし、オン操作した時は、開閉機構部を介して押板１２が矢印Ｄ方向へ押し下げられる。この操作により、従来装置と同様に押板１２の係合部１２ａと表示釦部２０の第二の釦係合部２０ｄとの係合により、突出表示している表示釦部２０を矢印Ｆ方向へ引き下げ、表示釦部２０の釦部２０ａを突出表示する前の状態にリセットさせる。また、復帰防止板２６は押ばね２７の付勢力により図１に示す元のＯＮ状態に戻る。
【００２４】
さらに、これと同時に、押板１２の矢印Ｄ方向への引き下げにより、第三のフック係合部２１ｄと表示釦係合部２０のアクチュエータ部２０ｂの右端面２０ｆとの係合を外し、鉄心ばね９の付勢力により可動鉄心８即ちフック２１を電磁石装置７に吸引される前の図１に示すＯＮ状態にリセットさせる。
【００２５】
なお、上記説明では、表示釦部２０のリセットは、開閉機構部の一部分を構成する押板１２を表示釦部２０に係合させることによりリセットするものを示したが、押板１２でなく、開閉機構部の他の部分に連動してリセットするように構成することも可能である。また、復帰防止板２６をもとの位置に戻す手段は、表示釦部２０の突出を利用するものでなく、開閉機構部の一部分の動きなどをを利用して戻すように構成することも可能である。
【００２６】
【発明の効果】
この発明は、以上説明したように構成されているので、地絡が発生した場合に、地絡電流の位相に関係することなく、表示釦部を確実に突出させて漏電表示することができる。
【図面の簡単な説明】
【図１】  この発明の漏電遮断器の要部を示す構成図であり、漏電が発生していない状態を示す。
【図２】  この発明の漏電遮断器の要部を示す構成図であり、漏電が発生し、漏電表示装置が突出表示する前の復帰防止板が動作した状態を示す。
【図３】  この発明の漏電遮断器の要部を示す構成図であり、漏電が発生し漏電表示した状態を示す。
【図４】  従来の漏電遮断器の電気回路図である。
【図５】  従来の漏電表示装置の要部を示す構成図である。
【符号の説明】
４  零相変流器、７  電磁石装置、８  可動鉄心、１２  押板、
１４  可動接触子、１５  固定接触子、１７  ケース、２０  表示釦部、
２１  フック、２１ａ  第一の係合部、２１ｂ第二の係合部、
２６  復帰防止板。
【図１】
0004369033.tif 000002
【図２】
0004369033.tif 000003
【図３】
0004369033.tif 000004
【図４】
0004369033.tif 000005
【図５】
0004369033.tif 000006